(57)【特許請求の範囲】
【請求項１】
印刷機の版胴へ装着するために刷版の端縁に折曲部を形成する刷版曲げ装置において、スプリングバックが大きい材質からなる刷版（３３）を下方から支える凹状受面（８）の先端に形成したエッジ部（９）を有しそれ自体に加熱手段（６）を備えるポンチ（５）と、前記刷版（３３）を挟んで構成され前記凹状受面（８）に相対する押圧面（１６）を有し駆動手段（２１）を介して下方へ移動するカウンタホルダ（１４）と、このカウンタホルダ（１４）による前記凹状受面（８）と押圧面（１６）との圧接によって前記エッジ部（９）から突出する前記刷版（３３）の折曲部（３４）を折曲するための前記カウンタホルダ（１４）と連動するダイ（１８）と、このダイ（１８）とカウンタホルダ（１４）の後退と連動して挙上し前記刷版（３３）の折曲部（３４）の端縁を押し上げるリフト用の部材（３１）とからなる、刷版曲げ装置。
【発明の詳細な説明】
【０００１】
【産業上の利用分野】
この発明は、印刷機の版胴に刷版を装着する際の引掛け用として刷版の端縁に折曲部を形成する刷版曲げ装置に関する。
【０００２】
【従来の技術】
印刷機の版胴に刷版を装着する手段として、前記版胴の外面に設けた細溝に、刷版の端縁に形成した折曲部を挟み込むことが行なわれているが、特にフィルムベ−スの刷版の場合には、折曲作業後のスプリングバックが大きいため、折曲部を前記挟み込みのために必要とする曲げ角度を保持させることに困難であった。
【０００３】
従来のこの種装置としては、ポンチの受面が凹状ではなく傾斜面となっている装置が実開平５−１３７４４号公報において提案され、プレス装置の上型と金属製パッドを弾性手段を介ざいさせた点は実開昭６４−４９３２３号公報において提案され、またポンチに加熱手段を具備した点は特開昭６３−１３６１９号公報において提案され、更にプレス作業後にワークを金型から離脱させるノックアウト手段は実開平４−４７８２０号公報において提案されている。
【０００４】
【発明が解決しようとする課題】
ここにおいてこの発明は、特にフィルムベースの刷版のようにスプリングバックが大きい材質からなる刷版において、上記折曲部が所望の曲げ角度に成形可能なような装置を提供しようとするものである。
【０００５】
【課題を解決するための手段】
請求項１記載の発明では、印刷機の版胴へ装着のために刷版の端縁に折曲部を形成すべき刷版曲げ装置において、スプリングバックが大きい材質からなる刷版（３３）を下方から支える凹状受面（８）の先端にエッジ部（９）を設けたそれ自体加熱手段（６）を有するポンチ（５）と、このポンチ（５）の前記凹状受面（８）に対応する凹圧面（１６）を有しかつ駆動手段（２１）の押圧力を弾性手段（１７）を介して前記凹状受面（８）に作用させるカウンタホルダ（１４）と、このカウンタホルダ（１４）と前記弾性手段（１７）を介して連動するダイ（１８）と、前記ポンチ（５）とカウンタホルダ（１４）との間に前記刷版（３３）を挟持した状態において折曲部（３４）となる刷版（３３）の端縁を折曲するエッジ部（９）と、前記ダイ（１８）とカウンタホルダ（１４）の後退と連動して挙上し前記刷版（３３）の折曲部（３４）の端縁を押し上げるリフト用の部材（３１）とを具備した刷版曲げ装置。
【０００６】
【作用】
先ず装置のメインテ−ブル上に端縁に折曲部を形成すべき刷版をセットする。この際カウンタホルダ及びダイはいわゆるホ−ムポジションすなわち上昇位置にある。次いでカウンタホルダを下降させることにより、このカウンタホルダの押圧面が刷版を押し下げ、ポンチの受面との間にこの刷版を挟持した状態となると、前記受面の凹所とエッジ部との構成によって刷版の端縁は上方へ曲げられた状態となり、次いで前記ダイが前記エッジ部との間で前記端縁を折り曲げて折曲部を成形し、この際前記ポンチが所定の温度に加熱されていることにより、折曲された角度を保持させることを可能とする。折曲作業終了後、前記ダイ及びカウンタホルダがホ−ムポジションに復帰する動きにつれて、リフタが前記折曲部の端面を挙上し、装置からの刷版の取り外しを容易にする。
【０００７】
【実施例】
先ず図１は装置の各部がホ−ムポジションを占めている状態を示すもので、装置の台枠１上には、メインテ−ブル２と、ハンドルベ−ス３とが形成されており、これらメインテ−ブル２とハンドルベ−ス３との間において前記台枠１に形成した凹陥部４内にポンチ５が嵌設される。
【０００８】
このポンチ５の側部にはリボンヒ−タのような加熱手段６を取り付けられており、この加熱手段６にはカバ−７がかけられている。また前記ポンチ５の上面は、前記メインテ−ブル２に連なる凹所として構成される凹状受面８を構成し、この受面８の先端部には、エッジ部９を形成される。
【０００９】
前記台枠１上にはフロントカバ−１０とスライドレ−ルベ−ス１１とこれらを結合するトップカバ−１２とで構成した門型の架枠１３が植設され、この架枠１３内には、前記ポンチ５と共働するカウンタホルダ１４を内包するダイメインベ−ス１５が配設され、前記ポンチ５の受面８と合致する形状の押圧面１６を有する前記カウンタホルダ１４は前記ダイメインベ−ス１５に対して弾性手段すなわちスプリング１７を介して結合されており、また前記ダイメインベ−ス１５の側部には、前記ポンチ５のエッジ部９との間で後述する刷版の折曲作用に行なうためのダイ１８が取り付けられている。
【００１０】
一方、前記ハンドルベ−ス３上に構成したハンドルブラケット１９に支軸２０を介して支承される駆動手段を構成する操作ハンドル（その一部分のみが示されている）２１の前記支軸２０には、このハンドル２１を常時、図１に示す位置に弾性保持するスプリング２２が装架されている。
【００１１】
前記ハンドル２１はハンドルリンク２３を介して前記架枠１３に支軸２４を介して支承されるベルクランク２５の一腕端に枢支され、このベルクランク２５の他腕端はダイリンク２６を介して前記ダイメインベ−ス１５のブラケット２７に枢支される。
【００１２】
前記ベルクランク２５の前記一腕端の近傍には当接面２８を形成され、この当接面２８は前記フロントカバ−１０に進退調整可能に装着したストッパねじ２９に当接させることにより、前記ハンドル２１の操作によって前記ダイメインベ−ス１５を下降運動させる際のストロ−ク量を定めることができる。
【００１３】
なお前記スライドレ−ルベ−ス１１の内側に形成したスライドレ−ル３０に沿って上下動するダイメインベ−ス１５にはその作用を後述するリフト用の部材３１を有するリフタ３２を取り付けられている。
【００１４】
次に上述の構成からなるこの発明の刷版曲げ装置による刷版の端縁の折曲作業を順を逐って説明する。上記図１において、メインテ−ブル２上に刷版３３をセットする方法としては、例えばメインテ−ブル２の所定個所に突設したピン状の突起に、刷版３３に設けた細孔を挿通して位置決めする方法を採用されている。図１にはそのようにしてセットした刷版３３を示し、この際、刷版３３の端縁部にあって折曲されるべき折曲部３４は前記ポンチ５の受面８のエッジ部９を越えてハンドルベ−ス３側へ突出している。
【００１５】
以下に、図２ないし図４によって要部拡大図を説明する。図２は操作ハンドル２１を回動操作して、ダイメインベ−ス１５を押し下げ刷版３３をポンチ５の受面８とカウンタホルダ１４の押圧面１６とで挟持した状態を示し、この際、図に示すように刷版３３の折曲部３４は斜め上方へ向けられており、この状態ではスプリング１７は未だ圧縮されておらず、またダイ１８は中間位置にあって刷版３３には接触していない。
【００１６】
次に更にダイメインベ−ス１５を押し下げて行くと、前記カウンタホルダ１４の押圧面１６はすでに刷版３３を挟んでポンチ５の受面８により下降を止められているので、スプリング１７を圧縮しつつダイメインベ−ス１５のみが下降し、ここにおいて、ダイ１８と前記エッジ部９との間で刷版３３の折曲部３４が折り曲げられて、図３に示すようになる。この際ダイ１８には刷版３３の厚みに対応する欠除部３５（図２参照）が設けられていて折り曲げは円滑に行なわれる。
【００１７】
図３に示す状態の保持時間は刷版３３の厚さや材質によって調整するが、前記ポンチ５は前述した加熱手段６によって加熱されているので、上記保持時間の設定によって後述するように成形後のスプリングバックを可及的に少なくすることができる。
【００１８】
図面の煩雑化を避けるため前記図１ないし図３において省略したリフタ３２の構成及び作用について図４によって詳述すると、前記ダイメインベ−ス１５と共働して上下動するコ字状部材３７には、これを常に上方へ押圧する引張バネとしてのスプリング３８が架設されており、前記コ字状部材３７に対し垂直面内で下位に配設した前記リフト用の部材３１にもまたこの部材３１を常に上方へ押圧する圧縮バネとしてのスプリング３９が架設されている。
【００１９】
前記コ字状部材３７が前記ダイメインベ−ス１５の下降運動の第１段階すなわちカウンタホルダ１４が刷版３３をポンチ５との間で挟持するが未だ弾性手段１７が圧縮されない段階では、前記コ字状部材３７の下端辺４０は部材３１の上端辺４１から離れている。
【００２０】
次いでダイメインベ−ス１５が更に下降運動して、弾性部材１７を圧縮して始めると、これにつれて図４に想像線で示すようにコ字状部材３７の下端辺４０が前記部材３１の上端辺４１を押し下げ、これにつれて前記リフト部材３１の下端辺４２も下降し、この下端辺４２に固設した挙上片４３も下降し、前記した刷版３３の折曲部３４の折曲作業に際し、障碍とならないようにする。
【００２１】
次いで前記ハンドル２１の戻し動作によってダイメインベ−ス１５が上昇し、それにともなってダイ１８とカウンタホルダ１４が復帰運動すると、前記ダイ１８の上下動に連動する部材３１の挙上片４３が刷版３３の折曲部３４の端縁を押し上げ、装置からの刷版３３の取り出しを容易にするのである。これが図５に示す状態である。
【００２２】
なお、図６は別の角度から見たポンチ５とダイメインベ−ス１５及びカウンタホルダ１４の関係を示すものであって、ダイメインベ−ス１５の両端部のダイベ−ス４４，４４に垂設したガイドピン４５，４５を前記ポンチ５に遊挿し、このポンチ５と前記ダイベ−ス４４，４４との間において前記ガイドピン４５，４５につる巻スプリング４６，４６を縮設すると共に、前記ダイベ−ス４４，４４から内方へ突設した肩部４７，４７にカウンタホルダ１４の両側の突縁４８，４８を懸架し、このカウンタホルダ１４とダイメインベ−ス１５との間に前記スプリング１７が縮設された状態を示す。
【００２３】
なお上記実施例ではポンチ５のエッジ部９は先鋭な隅角を有するものとして説明しかつ図示したが、場合によっては刷版３３の折曲部に或る程度の曲率半径を持たせることがあり、この際には前記エッジ部９に多少のまるみをつけるものとする。
【００２４】
【発明の効果】
この発明の上述の構成からなる装置によれば、折曲部の成形後のスプリングバックを可及的に少なくすることによって、所望の曲げ角度を求めることを容易とするという効果を奏するものである。
【図面の簡単な説明】
【図１】この発明の装置の一実施例のホ−ムポジションにある状態の配置図である。
【図２】折曲作業初期の刷版を挟持した状態の一部分拡大説明図である。
【図３】刷版の端縁を折曲した状態の一部分拡大説明図である。
【図４】リフタの構成図である。
【図５】折曲作業終了後の一部分拡大説明図である。
【図６】別の角度から見たポンチとダイメインベ−ス及びカウンタホルダの関係を示す図である。
【符号の説明】
５      ポンチ
６      加熱手段
８      凹状受面
９      エッジ部
１４    カウンタホルダ
１６    押圧面
１７    スプリング（弾性手段）
１８    ダイ
２１    操作ハンドル（駆動手段）
３１    部材
【図１】
0003567347.tif 000002
【図２】
0003567347.tif 000003
【図３】
0003567347.tif 000004
【図４】
0003567347.tif 000005
【図５】
0003567347.tif 000006
【図６】
0003567347.tif 000007